(57)【要約】【課題】  カードが所定の装着位置に保持されているときに、強い衝撃が加えられても、その力はカードをロックしようとする力として作用して確実にロック状態を保つことができるカード用コネクタ装置を提供する。【解決手段】  カード４４を収納する挿入空間４２を備えるハウジング２と、挿入空間４２に収納されたカード４４を排出するための排出手段（回動アーム３３、イジェクトアーム２２）と、排出手段を操作するための排出操作部（スライダ２０）と、カード４４が挿入空間４２に収納されたときにカード４４の引き抜きを規制するロックアーム３５を備え、カード４４が挿入空間４２に収納されているとき、前記排出操作部を操作することによりロックアーム３５による規制を解除した後、前記排出手段によりカード４４を挿入空間４２から排出する。【選択図】        図１０
2005302431.tif 000002
【特許請求の範囲】
【請求項１】
カード収納部を備えるハウジングと、
前記カード収納部に収納されたカードを排出するための排出手段と、
前記排出手段を操作するための排出操作部と、
前記カードが前記カード収納部に収納されたときに前記カードの引き抜きを規制する規制部を備え、
前記カードが前記カード収納部に収納されているとき、前記排出操作部を操作することにより前記規制部による規制を解除した後、前記排出手段により前記カードを前記カード収納部から排出することを特徴とするカード用コネクタ装置。
【請求項２】
請求項１において、前記規制部は、前記排出操作部にカム機構で係合されていることを特徴とするカード用コネクタ装置。
【請求項３】
請求項１において、前記排出操作部は、突出位置と押し込み位置の２つの位置の間で往復動可能であり、突出位置での操作によりカード排出操作及び規制部の規制解除操作を行うことを特徴とするカード用コネクタ装置。
【請求項４】
請求項１において、前記カードには切り欠き部が設けられ、前記規制部は、付勢部材により付勢されて、前記切り欠き部と係合して前記カードの引き抜きを規制しており、前記操作部材の操作に連動して、前記付勢部材による付勢を遮断することを特徴とするカード用コネクタ装置。
【請求項５】
請求項１において、前記カードには切り欠き部が設けられ、前記規制部は、回動可能に軸部により支持されるとともに、前記切り欠き部と係合するロック部を有し、前記軸部は前記ロック部よりも開口端側に配置することを特徴とするカード用コネクタ装置。
【発明の詳細な説明】
【技術分野】
【０００１】
本発明は、挿入されたカードを排出ボタンを操作することでカードを排出するカード用コネクタ装置に関する。
【背景技術】
【０００２】
従来から、
カード用コネクタ装置として特許文献１の構成が公知であり、これを図２８及び図２９に示す。
【０００３】
これらの図において、カードコネクタは、ＩＣカード５０の両側縁をガイドするためのガイド部９１、９１と、嵌合部９２とを有して平面視コ字形状に形成されるハウジング９０と、ハウジング７０により保持される複数の端子９３、９３・・と、イジェクタ５２とから構成される。
【０００４】
イジェクタ５２は、略中心位置で回動自在に枢支される押し出しリンク５４と、該押し出しリンク５４を操作するイジェクト操作杆５３と、このイジェクト操作杆５３の先端に装着され、後述する抜け止め手段５５が組み込まれたイジェクトボタン８０とから構成され、ＩＣカード５０装着時にイジェクトボタン８０を装置本体内方に押し込むことにより押し出しリンク５４を回動させ、押し出しリンク５４の押し出し部５４ａによりＩＣカード５０をコンタクトの接触圧に抗して前方に押し出してＩＣカード５０を抜き取り可能な状態とする。
【０００５】
抜け止め手段５５は、イジェクト操作杆５３の先端に固着される合成樹脂製のイジェクトボタン８０に一体形成され、フック操作部７０と、係止フック６０とからなる。
【０００６】
イジェクトボタン８０は、イジェクト操作杆５３への固定片８１とピン挿入片８２を側壁とするボックス形状に形成されており、底部壁面をコ字形状に開口させて中央部に舌片状の部位を残すことにより係止フック６０が形成される。
【０００７】
係止フック６０は、基端部がイジェクトボタン８０の固定片８１に連続する片持梁状の脚部６１と、該脚部６１の自由端部から外方に向けて三角形状に突設されるフック部６２と、脚部６１の先端近傍からイジェクトボタン８０の内方に向けて突設される作動突起６３とを有し、作動突起６３を固定片８１側に押し付けることにより、脚部６１が弾性変形するように構成される。このフック部６２をカード５０の前端縁５１に係合させてロックしている。
【０００８】
一方、フック操作部７０は、押しピン７１をイジェクトボタン８０に装着することにより構成される。押しピン７１は、先端部に形成されるフランジ状のボタン部７１ａと、ボタン部７１ａと反対端に形成される半球状の押圧部６４と、ボタン部７１ａから所定間隔隔てた位置に突設されるストッパフランジ７１ｂとを有する。
【特許文献１】特開平８−７９８０号公報
【発明の開示】
【発明が解決しようとする課題】
【０００９】
このような従来のカード用コネクタ装置では、係止フック６０の三角形状に突設されるフック部６２で図２９に示すように装着されたＩＣカード５０の前端縁５１に係合してロックするので、強く引き抜いたり、あるいは強い衝撃が加わると、脚部６１が弾性変形してフック部６２が右方向に変位してしまい、ロックが解除される。したがって、特に、近年、カードの重量が重くなってきており、強い衝撃が加わると、容易にフック部６２が外れ、装置としての信頼性の点で十分ではなかった。
【００１０】
本発明の目的は、カードが所定の装着位置に保持されているときに、強い衝撃が加えられても、その力はカードをロックしようとする力として作用して確実にロック状態を保つことができるカード用コネクタ装置を提供することにある。
【課題を解決するための手段】
【００１１】
上述の目的を達成するために、本発明のカード用コネクタ装置は、カード収納部を備えるハウジングと、前記カード収納部に収納されたカードを排出するための排出手段と、前記排出手段を操作するための排出操作部と、前記カードが前記カード収納部に収納されたときに前記カードの引き抜きを規制する規制部を備え、前記カードが前記カード収納部に収納されているとき、前記排出操作部を操作することにより前記規制部による規制を解除した後、前記排出手段により前記カードを前記カード収納部から排出する構成にしてある。
【００１２】
かかる構成により、排出操作部を操作して規制部による規制を解除しない限り、装置を落とす等して強い衝撃が加わってもカードが不用意に排出されないように規制し、また、カードの無理な引き抜きを規制することができる。
【００１３】
また、上述の発明のカード用コネクタ装置において、前記規制部は、前記排出操作部にカム機構で係合されている構成にしてある。
【００１４】
かかる構成により、簡易な構成で、排出操作部を操作したときのみ規制部での規制を解除可能とすることができる。
【００１５】
また、上述の発明のカード用コネクタ装置において、前記排出操作部は、突出位置と押し込み位置の２つの位置の間で往復動可能であり、突出位置での操作によりカード排出操作及び規制部の規制解除操作を行う構成にしてある。
【００１６】
かかる構成により、２つの位置を設定することで排出操作を行わない位置を設定することができ、不用意な排出操作をなくすことができる。
【００１７】
また、上述の発明のカード用コネクタ装置において、前記カードには切り欠き部が設けられ、前記規制部は、付勢部材により付勢されて、前記切り欠き部と係合して前記カードの引き抜きを規制しており、前記操作部材の操作に連動して、前記付勢部材による付勢を遮断する構成にしてある。
【００１８】
かかる構成により、付勢部材による付勢により規制を強固にするとともに、付勢を遮断することで簡単にカードを排出できる。
【００１９】
また、上述の発明のカード用コネクタ装置において、前記カードには切り欠き部が設けられ、前記規制部は、回動可能に軸部により支持されるとともに、前記切り欠き部と係合するロック部を有し、前記軸部は前記ロック部よりも開口端側に配置する構成にしてある。
【００２０】
かかる構成により、不用意な力が作用してもロック部のロックは外れず、カードが不用意に装置から脱落することを規制できる。
【発明の効果】
【００２１】
本発明は、カードがカード収納部に収納されているとき、排出操作部を操作することにより規制部による規制を解除した後、排出手段によりカードをカード収納部から排出する構成にしてあるため、排出操作部を操作して規制部による規制を解除しない限り、装置を落とす等して強い衝撃が加わってもカードが不用意に排出されないように規制し、また、カードの無理な引き抜きを規制することができる。
【００２２】
本発明は、規制部が排出操作部にカム機構で係合されているため、簡易な構成で、排出操作部を操作したときのみ規制部での規制を解除可能とすることができる。
【００２３】
本発明は、排出操作部は、突出位置と押し込み位置の２つの位置の間で往復動可能であり、突出位置での操作によりカード排出操作及び規制部の規制解除操作を行う構成にしてあるため、２つの位置を設定することで排出操作を行わない位置を設定することができ、不用意な排出操作をなくすことができる。
【００２４】
本発明は、付勢部材による付勢により規制を強固にするとともに、付勢を遮断することで簡単にカードを排出できる。
【００２５】
本発明は、不用意な力が作用してもロック部のロックは外れず、カードが不用意に装置から脱落することを規制できる。
【発明を実施するための最良の形態】
【００２６】
以下、本発明のカード用コネクタ装置の一実施例を図面に基づいて説明する。
【実施例】
【００２７】
発明の実施の形態について図面を参照して説明すると、図１は本発明の実施例に係るカード用コネクタ装置を示す図で、（ａ）は平面図、（ｂ）は正面図、図２は図１に示すカード用コネクタ装置のカバーを取り除いた状態で示す図で、（ａ）は平面図、（ｂ）は側面図、（ｃ）は正面図、（ｄ）はＡ−Ａ線に沿った断面図、図３は図２の斜視図、図４はカバーの斜視図、図５は本発明の実施例に係るカード用コネクタ装置の操作部を示す図で、（ａ）は右側面図、（ｂ）は上面図、（ｃ）は左側面図、（ｄ）は底面図、図６は図５の操作部を示す図で、（ａ）は斜視図、（ｂ）は（ａ）の操作部を裏から見た斜視図、図７は図５の操作部の分解斜視図、図８はカード用コネクタ装置からカバーを省略して示す説明図、図９は図８のカード用コネクタ装置から更にカムピン押さえバネ及び排出バネを省略して示す説明図、図１０及び図１１は図９のカード用コネクタ装置のカード挿入動作を示す説明図、図１２〜図１７はカード用コネクタ装置のカード排出動作を示す説明図、図１８は図９のカード用コネクタ装置から更にプッシュバー及びスライダを省略して示す説明図、図１９及び図２０は図１０及び図１１に対応するカード挿入動作を示す説明図、図２１〜図２６は図１２〜図１７に対応するカード排出動作を示す説明図、図２７はカム溝と係合ピンの他端部の動作を示す説明図である。
【００２８】
図１〜図８に示すように、本実施形態例に係るカード用コネクタ装置１は、主としてハウジング２と排出機構３およびカバー４とから構成されている。
【００２９】
図２〜図３に示すように、ハウジング２は、合成樹脂製のフレーム５と、このフレーム５にインサート成形により固着された複数の接続端子６とから構成されている。フレーム５の右側部には、右側壁７の内壁側に位置するガイド壁７ａと、ガイド壁７ａと対向するガイド壁８と、このガイド壁８の中央部付近に位置する開口部９と、底面に形成された凹段部１０と、ガイド壁７ａと８に囲まれ底面の一部を貫通する矩形状のガイド溝１１と、底面の前端部に位置する復帰バネの一端の取り付け用の突起１２と、凹段部１０の前端部寄りに位置するロックアームを軸支する軸部１３と、底部の奥側（図２（ａ）の上方側）に形成されたカム溝１４とが設けられている。これらガイド壁７ａ，８とガイド溝１１およびカム溝１４は排出機構３の一部をなしている。フレーム５の幅方向の両側壁面には、複数の凸状の係止部１５がそれぞれ形成されている。接続端子６はフレーム５の後壁部に一定の間隔で配置されており、この後壁部の前面から突出した接続端子６は後述するメモリカードの端子に弾接させるためのコンタクト部１６を構成し、反対側の壁面からの突出部分は半田付け部１７を構成している。これら半田付け部１７は、各種電子機器の図示せぬ回路基板に設けられた電子回路に半田付けされるようになっている。また、フレーム５の前端面には、スライド板を挿通するスリット１８が形成されている。フレーム５の後壁部の上面には、回動アーム３３を軸支する軸支部５ａが突設されている。
【００３０】
図８に示すように、排出機構３はハウジングの平面視右側部に設けられており、スライダ２０と係合ピン２１とイジェクトアーム２２と板バネ２３とコイルバネ２４（復帰バネ）および回動アーム３３とを備えている。図５〜図７に示すように、スライダ２０は直方体状の基体部２５とバネ掛け止め突起２６と係合ピン用孔部２７とから構成されており、基体部２５の前端側（図７の下方側）にはコイルバネ２４を収納する凹部２８が形成され、その奥部（図７の上方側）にバネ掛け止め突起２６が突設され、また、基体部２５のバネ掛け止め突起２６を設けた側面に対して裏面には、ロックアーム作動用突起３４が突設されている。また、基体部２５の前端側の側面に沿ってスリット２９が形成されてプッシュバー３０が嵌め込まれて固定されている。このプッシュバー３０にはボタン３１が嵌合されている。また、基体部２５の中央には係合ピン用孔部２７が穿設され、この係合ピン用孔部２７に係合ピン２１の一端部２１ａをイジェクトアーム２２の一端の軸孔２２ａに挿通して差し込んである。この係合ピン２１は両端をほぼ直角に折り曲げてなり、係合ピン２１の他端部２１ｂは、イジェクトアーム２２の長溝２２ｂを挿通してカム溝１４に差し込まれている。イジェクトアーム２２の軸孔２２ａは係合ピン用孔部２７の外壁に回動可能に支持されている。また、イジェクトアーム２２の他端は直角に屈曲されて回動アーム３３と当接する当接部２２ｃとされている。このイジェクトアーム２２は基体部２５の図６の上方側が断面Ｌ字状に形成されて収容空間を有し、この収容空間に収納されて回動可能とされており、イジェクトアーム２２には突片２２ｄが形成され、この突片２２ｄが基体部２５に形成されたスリット３２に挿入されてガイドされている。イジェクトアーム２２には膨出成形して係合ピン２１の回動方向に沿って係合ピン２１を支持する受け部２２ｅが形成されている。また、当接部２２ｃは基体部２５の図６の上方側の端部から突出している。さらに、基体部２５の中央に板バネ２３が嵌め込まれて固定されている。
【００３１】
この板バネ２３は、図７に示すように、断面Ｌ字状とした板部からなる基部２３ａを有し、この基部２３ａの一方の板部から係合ピン２１をカム溝１４に付勢する第１のバネ片部２３ｂが形成され、他方の板部から第１のバネ片部２３ｂとは逆方向に延設されてロックアーム３５を付勢する第２のバネ片部２３ｃが形成されている。また、板バネ２３には、基体部２５に固定するための爪部２３ｄが形成され、基体部２５に取り付け後折り曲げる等して一体化している。板バネ２３の第１のバネ片部２３ｂは係合ピン２１上に配設され、係合ピン２１を弾性的にカム溝１４方向に押圧するようになっている。これにより、係合ピン２１の他端部２１ｂがカム溝１４の底面を確実に摺動し、カム動作を安定して行うことができるようになっている。
【００３２】
回動アーム３３は、図２及び図８に示すように、フレーム５の軸支部５ａに軸支される軸孔３３ａと、カード４４の先端に突き当たってカード４４を押し出すための押出し部３３ｃと、イジェクトアーム２２の当接部２２ｃが当接される係合部３３ｂとから構成されている。
【００３３】
ロックアーム３５は、図１８に示すように、フレーム５の凹段部１０内に収容された状態であって、このロックアーム３５の上面側にスライダ２０が配設されている。ロックアーム３５は、軸部１３が挿入される軸孔３５ａと、開口部９から装脱されるカード４４の挿入空間４２（カード収納部）に対して進退するロック部３５ｂ（規制部）と、スライダ２０のロックアーム作動用突起３４が差し込まれているカム溝部３５ｃとからなっている。カム溝部３５ｃは長孔からなり、軸孔３５ａ寄りが細幅とした後退カム部３５ｃ１と、軸孔３５ａから離れた方を幅広とした前進カム部３５ｃ２とが設けられている。カム溝部３５ｃ内をスライダ２０のロックアーム作動用突起３４が図１８の上下方向に移動することによってロックアーム作動用突起３４が後退カム部３５ｃ１に至ると、ロックアーム３５は図１８で軸部１３を中心にして時計回り方向に回動させられてロック部３５ｂは前記カード４４の挿入空間４２から後退する。一方、ロックアーム作動用突起３４が前進カム部３５ｃ２に位置しているときはロック部３５ｂは開口部９から前記カード４４の挿入空間４２内に前進可能となっている。ロックアーム３５は、図１８に示すように、その右縁に板バネ２３の第２のバネ片部２３ｃが圧接されて軸部１３を中心にして反時計回り方向に付勢されており、つまり、ロック部３５ｂが開口部９から前記カードの挿入路内に前進する方向に付勢されている。なお、板バネ２３の第２のバネ片部２３ｃはスライダ２０のスライド動作と共にスライドするので、図２３の状態のときは第２のバネ片部２３ｃのバネ力は全くロックアーム３５に作用しておらず、つまり、スライド２０の操作に連動して第２のバネ片部２３ｃによる付勢力を遮断し、また、スライダ２０が押し込まれるほど概ねロックアーム３５に第２のバネ片部２３ｃのバネ力が強く作用するようにロックアーム３５の右縁の形状を設定してある。
【００３４】
このようなロックアーム３５は、上述したように第２のバネ片部２３ｃによりロック部３５ｂが開口部９から突出する方向に付勢されるが、装填されたカード４４に不用意に加わった力がカード４４を排出させる方向に作用したときに、カード４４の凹部４４ｂ（切り欠き部）の図２０の上方側の内側面がロック部３５ｂを図２０で下方に押すことになる。これにより、ロックアーム３５の軸心（軸部１３）は装置の手前側の端部近傍に配設されているので、ロックアーム３５には軸心を中心にして反時計回り方向の力が作用して更にロック部３５ｂはカード４４の凹部４４ｂ内に強く差し込まれて不用意な力が作用してもロックは外れない。
【００３５】
図８に示すように、スライダ２０はフレーム５の底面上に載置されており、この状態で前記ロックアーム３５は凹段部１０内にあってスライダ２０のスライド動作には支障がない。そして、スライダ２０はガイド壁７ａ，８とによって構成されるガイド溝１１内で幅方向の動きが規制されると共に、カードの挿入排出方向にスムーズに往復移動できるようになっている。また、スライダ２０のバネ掛け止め用突起２６にコイルバネ２４の一端部が掛け止めされ、このコイルバネ２４の他端部はフレーム５の突起１２に掛け止めされている。これにより、スライダ２０はカード排出方向へ向けて弾性付勢されると共に、図９に示すように、係合ピン２１がカム溝１４の所定の係止位置に保持されることで、スライダ２０は初期位置に保持される。
【００３６】
図９に示すように、係合ピン２１の一端部２１ａはスライダ２０の係合ピン用孔部２７に軸支されており、これにより係合ピン２１の自由端側の他端部２１ｂが揺動可能となっている。図２７に示すように、カム溝１４にはハート型カム溝３６と案内溝３７とが設けられており、この案内溝３７はハート型カム溝３６に連通して前方へ延びている。ハート型カム溝３６は、係合ピン２１の他端部２１ｂの挿入経路３６ａおよび排出経路３６ｂと、該他端部２１ｂを係止してスライダ２０を初期位置に保持するための所定の係止位置となるピン係止部３６ｃとを有している。
【００３７】
図４に示すように、カバー４は金属板からなり、平面視長方形状の天板３８と、この天板３８の幅方向に対向する左右の端縁及び該両端縁間の一端縁からそれぞれ直角に折り曲げ形成された側板３９とからなっている。天板３８の後方の縁部には、回動アーム３３の軸孔３３ａを挿通した軸支部５ａの先端が挿入される孔部４０が形成されており、また、側板３９にはそれぞれ複数の四角孔４１が形成されている。このカバー４はその天板３８がハウジング２の上部を、側板３９がハウジング２の両側面を覆うように装着され、両側板３９の四角孔４１がフレーム５の両側壁面の係止部１５にスナップ止めされることで、カバー４がハウジング２から脱落するのを防止している。なお、ハウジング２とカバー４との間に挿入空間４２が形成されており、カード４４は開口端４３（カード挿入口）側から挿入空間４２内に挿入されるようになっている。
【００３８】
次に、上記のごとく構成されたカード用コネクタ装置１の動作について説明する。まず、カードをカード用コネクタ装置１へ装着する動作について図８〜図２６を参照して説明する。なお、図９〜図１７はカバー４及び第１のバネ片部２３ｂ（カムピン押さえバネ）及びコイルバネ２４（排出バネ）を省略し、図１８〜図２６は更にスライダ２０及びプッシュバー３０を省略してある。
【００３９】
最初に、カード用コネクタ装置１に用いられるカードの一例であるメモリカードについて説明すると、このカード４４は長方形の板状部材であり、その先端部の下面に幅方向に所定の間隔を有して配置された複数の端子４４ａが設けられ、一側縁にはロックアーム３５のロック部３５ｂと係脱可能な凹部４４ｂが設けられている。
【００４０】
本実施形態例に係るカード用コネクタ装置１の初期状態では、図８及び図９及び図１８に示すように、スライダ２０はコイルバネ２４の付勢力によって手前方向に引っ張られるとともに、係合ピン２１の他端部２１ｂが図１８に示すハート形カム溝３６のピン係止部３６ｃに係止された位置で保持されている。このとき、スライダ２０のロックアーム作動用突起３４は図１８に示すようにロックアーム３５の前進カム部３５ｃ２に位置しており、ロックアーム３５は第２のバネ片部２３ｃにより軸部１３を中心に反時計回り方向に押圧され、ロック部３５ｂはカード４４が挿入される挿入空間４２内に開口部９からに突出している。
【００４１】
図１０及び図１９は操作者が手動によりカード４４をカード挿入口４３に挿入途上の状態を示しており、この場合、図９の状態で挿入空間４２内に突出していたロック部３５ｂの手前側の斜面がカード４４の前端縁により押圧され、ロックアーム３５は第２のバネ片部２３ｃのバネ力に抗して軸部１３を中心として時計回り方向へ回動させられ、そして、ロック部３５ｂはカード４４の右側面を摺動する。
【００４２】
さらにカード４４を押し込むと、カード４４の前端が回動アーム３３の押出し部３３ｃに突き当たって回動アーム３３を軸支部５ａを中心にして時計回り方向へ回動させながらカード４４の端子４４ａが接続端子６のコンタクト部１６に接触し、次いで、図１１及び図２０に示すように、カード４４の前縁部がフレーム５の後壁面に当接するまで押し込まれる。それと同時に、ロック部３５ｂがカード４４の凹部４４ｂに至って係合してカード４４は挿入完了状態でロックされる。この図１０、１１及び図１９、２０に示すカード挿入過程では、回動アーム３３及びロックアーム３５が作動するのみでスライダ２０及び係合ピン２１及びイジェクトアーム２２は図９及び図１８の状態から動かない。
【００４３】
次に、ハウジング２に装着されたカード４４を排出する動作について図１２〜図１７及び図２１〜図２６を参照して説明する。
【００４４】
前述したように、前記図１１及び図２０はハウジング２にカード４４が装着された状態を示しており、この状態から操作者がボタン３１を押し込むと、ボタン３１とプッシュバー３０を介して一体のスライダ２０がガイド溝１１に沿って奥方（図１１の上方）へスライド動作する。このスライダ２０のスライド動作によってスライダ２０の下面のロックアーム作動用突起３４は図２１に示すようにロックアーム３５のカム溝孔３５ｃの前進カム部３５ｃ２の奥方側に移動する。また、図１２に示すように、スライダ２０の係合ピン用孔部２７に一端部２１ａを軸支されている係合ピン２１もスライダ２０と共に後端側（図１２の上方）へ移動し、図２７に矢印Ｊで示すように、係合ピン２１の他端部２１ｂがピン係止部３６ｃから離脱して奥方の排出経路３６ｂ内へと移動する。これにより、係合ピン２１は一端部２１ａを中心にして時計回り方向に回動するので、他端部２１ｂが挿通されている長溝２２ｂを介してイジェクトアーム２２も係合ピン用孔部２７の外壁を軸にして時計回り方向へ回動する。
【００４５】
図１２及び図２１の状態からボタン３１の押し込みを止めると、コイルバネ２４のバネ力によって手前側（図の下方側）にスライド移動し、図１３の状態になる。すなわち、このスライド移動によって係合ピン２１の他端部２１ｂは図２７に矢印Ｋで示すように、排出経路３６ｂから案内溝３７の方へと移動する（図２２参照）。また、このスライダ２０の手前側への移動によりロックアーム作動用突起３４は図２２に示すように前進カム部３５ｃ２から傾斜部を経て後退カム部３５ｃ１に移動する。このロックアーム作動用突起３４の移動により、ロックアーム３５は第２のバネ片部２３ｃのバネ力に抗して軸部１３を中心にして時計回り方向に回動させられ、ロック部３５ｂはカード４４の凹部４４ｂから離脱し、カード４４のロックが解除される。
【００４６】
更に、ボタン３１はコイルバネ２４の引っ張り力により手前側へ移動し、図１４に示すようにスライダ２０の前端面（図で下方端）がガイド溝１１の手前側の前端壁に当接することで、スライダ２０は最も手前側で保持される。この状態では、係合ピン２１の他端部２１ｂが案内溝３７の前端部まで移動する。この移動により、図１４に示すように、係合ピン２１の他端部２１ｂは一端部２１ａを中心にして反時計回り方向へ移動し、この係合ピン２１の回動動作に連動するイジェクトアーム２２が係合ピン用孔部２７の外壁を軸にして反時計回り方向へ回動する。また、スライダ２０のロックアーム作動用突起３４は図２３に示すように、カム溝孔３５ｃの後退カム部３５ｃ１の手前側に位置して、ロック部３５ｂはカード４４の凹部から離脱したままとなっている。この図２３の状態では、スライダ２０と共に第２のバネ片部２３ｃも手前側に移動して第２のバネ片部２３ｃはロックアーム３５から離れて遮断され、そのバネ力は作用しないようになっている。したがって、ロックアーム３５を付勢する必要の無いときにはロックアーム３５に第２のバネ片部２３ｃが作用（摺動）しないので、スライダ２０のスライド動作を軽く行える。
【００４７】
次に、再び操作者がボタン３１を押し込むと、図１５に示すように、スライド２０はコイルバネ２４のバネ力に抗して奥側（図１５の上方）へスライド移動し、係合ピン２１も奥側へ一体に移動する。すると、図２７に矢印Ｈで示すように、係合ピン２１の他端部２１ｂが案内溝３７からハート型カム溝３６の挿入経路３６ａ内に移動して奥方（図１５の上方）へと移動する。この係合ピン２１の回動により、イジェクトアーム２２も係合ピン用孔部２７の外壁を軸に反時計回り方向へ回動し、スライダ２０を奥方（図１５の上方）へスライド移動させたときに、その当接部２２ｃが回動アーム３３の係合部３３ｂに突き当たる位置に移動される。また、このスライダ２０の奥方へのスライドにより、図２４に示すように、スライダ２０のロックアーム作動用突起３４は後退カム部３５ｃ１の奥側まで至り、この過程の間、ロックアーム３５のロック部３５ｂは挿入空間４２から後退した状態で保持されている。また、図２４の状態になると、ロックアーム３５には第２のバネ片部２３ｃのバネ力が加わり始める。
【００４８】
更に、ボタン３１の押し込むと、スライダ２０の奥方へのスライド動作に伴って、係合ピン２１の他端部２１ｂは、図２７に矢印Ｈで示すように、ハート型カム溝３６の挿入経路３６ａ内をさらに移動し（図１６参照）、ピン係止部３６ｃよりも奥方へと移動する（図１７参照）。そして、このスライダ２０の奥方へのスライド移動により、イジェクトアーム２２の当接部２２ｃが回動アーム３３の係合部３３ｂを押し、イジェクトアーム２２は軸支部５ａを中心にして反時計回り方向へ回動させられ、押出し部３３ｃはカード４４の前端を排出方向に押し出す。この際、図１６に対応する図２５に示すように、ロックアーム３５のロック部３５ｂは図１６に示すようにカード４４の凹部４４ｂと係合しないので、カード４４の排出動作に支障はない。さらに、図１７に対応する図２６に示すように、スライダ２０が最奥側に至ると、更に回動アーム３３が反時計回り方向に回動してカードの排出が完了する。このとき、図２６に示すように、係合ピン２１の他端部２１ｂはハート型カム溝３６の挿入経路３６ａ内をさらに移動して最奥部に至っている。また、スライダ２０のロックアーム作動用突起３４は前進カム部３５Ｃ２の最奥部に位置しており、図２５から図２６の過程では第２のバネ片部２３ｃのバネ力によりロックアーム３５は軸部１３を中心にして反時計回り方向に付勢され、ロックアーム３５のロック部３５ｂはカード４４の右端面に圧接されている。
【００４９】
次に、図１７及び図２６の状態からボタン３１への押し込み力を除去すると、スライダ２０はコイルバネ２４の引っ張り力により手前側にスライド移動されて図９及び図１８及び図１９の状態に復帰する。すなわち、スライダ２０が手前側にスライド移動すると、係合ピン２１の他端部２１ｂは、図２７に矢印Ｉで示すように、ピン係止部３６ｃに移動して係止される。この他端部２１ｂの時計回り方向への回動に伴ってイジェクトアーム２２も係合ピン用孔部２７の外壁を中心にして時計回り方向へ回動する。また、スライダ２０のロックアーム作動用突起３４も図１９に示すように前進カム部３５ｃ２に位置しており、ロックアーム３５は第２のバネ片部２３ｃのバネ力によりロック部３５ｂが開口部９から挿入空間４２内に突出されるようになっている。
【００５０】
次に、図１１及び図２０のカード挿入完了状態で、装置を落とすなどして不用意な力がカード４４に作用してもカード４４が脱落しないようにしたことについて更に説明する。
【００５１】
前述したように、ロックアーム３５の回動中心である軸部１３は、手前（開口端４３）側に配設され、ロック部３５ｂは奥方に配置されている。そして、図１１のカード４４の挿入完了時には、ロック部３５ｂはカード４４の凹部４４ｂに差し込まれている。また、ロックアーム３５には、第２のバネ片部２３ｃによりロック部３５ｂが開口部９から突出して凹部４４ｂに差し込まれる方向に付勢されている。
【００５２】
このように状態で、装填されたカード４４に不用意に加わった力がカード４４を排出させる方向に作用したときに、カード４４の凹部４４ｂの図２０の上方側の内側面がロック部３５ｂを図２０で下方に押す力として作用することになる。この力により、ロックアーム３５はその回動軸心（軸部１３）を中心にして反時計回り方向の力として作用するので、ロック部３５ｂはカード４４の凹部４４ｂ内に更に強く差し込まれることになり、したがって、不用意な力が作用してもロック部３５ｂのロックは外れず、カード４４が不用意に装置から脱落することがない。
【００５３】
上記実施例によれば、カード４４がカード収納部（挿入空間４２）に収納されているとき、スライダ２０（排出操作部）を操作することによりロック部３５ｂによる規制を解除した後、回動アーム３３によりカード４４をカード収納部から排出する構成にしてあるため、排出操作部を操作して規制部による規制を解除しない限り、装置を落とす等して強い衝撃が加わってもカードが不用意に排出されないように規制し、また、カードの無理な引き抜きを規制することができる。
【００５４】
また、ロック部３５ｂ（規制部）のロックアーム３５は、スライダ２０（排出操作部）にカム機構で係合されて連動するため、簡易な構成で、排出操作部を操作したときのみ規制部での規制を解除可能とすることができる。
【００５５】
また、前記排出操作部（スライダ２０）は、手前側の突出位置と奥方の押し込み位置の２つの位置の間で往復動可能であり、突出位置での操作によりカード排出操作及び規制部（ロック部３５ｂ）の規制解除操作を行う構成にしてあるため、２つの位置を設定することで排出操作を行わない位置を設定することができ、不用意な排出操作をなくすことができる。
【００５６】
また、カード４４には凹部４４ｂが設けられ、ロック部３５ｂ（ロックアーム３５）は、第２のバネ片部２３ｃ（付勢部材）により付勢されて、カード４４の凹部４４ｂと係合してカード４４の引き抜きを規制しており、スライダ２０の操作に連動して、第２のバネ片部２３ｃによる付勢を遮断する構成にしてあるため、付勢部材による付勢により規制を強固にするとともに、付勢を遮断することでカードに抵抗がなく簡単にカードを排出できる。
【００５７】
また、カード４４には凹部４４ｂが設けられ、ロックアーム３５は、軸部１３により回動可能に支持されるとともに、凹部４４ｂと係合するロック部３５ｂを有し、軸部１３はロック部３５ｂよりも開口端４３側に配置する構成にしてあるため、不用意な力が作用してもロック部のロックは外れず、カードが不用意に装置から脱落することを規制できる。
【図面の簡単な説明】
【００５８】
【図１】本発明の実施例に係るカード用コネクタ装置を示す図で、（ａ）は平面図、（ｂ）は正面図である。
【図２】図１に示すカード用コネクタ装置のカバーを取り除いた状態で示す図で、（ａ）は平面図、（ｂ）は側面図、（ｃ）は正面図、（ｄ）はＡ−Ａ線に沿った断面図である。
【図３】図２の斜視図である。
【図４】カバーの斜視図である。
【図５】本発明の実施例に係るカード用コネクタ装置の操作部を示す図で、（ａ）は右側面図、（ｂ）は上面図、（ｃ）は左側面図、（ｄ）は底面図である。
【図６】図５の操作部を示す図で、（ａ）は斜視図、（ｂ）は（ａ）の操作部を裏から見た斜視図である。
【図７】図５の操作部の分解斜視図である。
【図８】カード用コネクタ装置からカバーを省略して示す説明図である。
【図９】図８のカード用コネクタ装置から更にカムピン押さえバネ及び排出バネを省略して示す説明図である。
【図１０】図９のカード用コネクタ装置のカード挿入動作を示す説明図である。
【図１１】カード用コネクタ装置のカード挿入動作を示す説明図である。
【図１２】カード用コネクタ装置のカード排出動作を示す説明図である。
【図１３】カード用コネクタ装置のカード排出動作を示す説明図である。
【図１４】カード用コネクタ装置のカード排出動作を示す説明図である。
【図１５】カード用コネクタ装置のカード排出動作を示す説明図である。
【図１６】カード用コネクタ装置のカード排出動作を示す説明図である。
【図１７】カード用コネクタ装置のカード排出動作を示す説明図である。
【図１８】図９のカード用コネクタ装置から更にプッシュバー及びスライダを省略して示す説明図である。
【図１９】図１０に対応するカード挿入動作を示す説明図である。
【図２０】図１１に対応するカード挿入動作を示す説明図である。
【図２１】図１２に対応するカード排出動作を示す説明図である。
【図２２】図１３に対応するカード排出動作を示す説明図である。
【図２３】図１４に対応するカード排出動作を示す説明図である。
【図２４】図１５に対応するカード排出動作を示す説明図である。
【図２５】図１６に対応するカード排出動作を示す説明図である。
【図２６】図１７に対応するカード排出動作を示す説明図である。
【図２７】カム溝と係合ピンの他端部の動作を示す説明図である。
【図２８】従来のカード用コネクタ装置の平面図である。
【図２９】図２８の要部拡大図である。
【符号の説明】
【００５９】
１１  ガイド溝
１４  カム溝
２０  スライダ
２１  係合ピン
２１ａ  一端部
２１ｂ  他端部
２２  イジェクトアーム
２３  板バネ
２３ｂ  第１のバネ片部
２３ｃ  第２のバネ片部
２４  コイルバネ
３１  ボタン
３３  回動アーム
３４  ロックアーム作動用突起
３５  ロックアーム
３５ｂ  ロック部
３６  ハート型カム溝
４２  挿入空間
４４  カード
４４ｂ  凹部
【図１】
2005302431.tif 000003
【図２】
2005302431.tif 000004
【図３】
2005302431.tif 000005
【図４】
2005302431.tif 000006
【図５】
2005302431.tif 000007
【図６】
2005302431.tif 000008
【図７】
2005302431.tif 000009
【図８】
2005302431.tif 000010
【図９】
2005302431.tif 000011
【図１０】
2005302431.tif 000012
【図１１】
2005302431.tif 000013
【図１２】
2005302431.tif 000014
【図１３】
2005302431.tif 000015
【図１４】
2005302431.tif 000016
【図１５】
2005302431.tif 000017
【図１６】
2005302431.tif 000018
【図１７】
2005302431.tif 000019
【図１８】
2005302431.tif 000020
【図１９】
2005302431.tif 000021
【図２０】
2005302431.tif 000022
【図２１】
2005302431.tif 000023
【図２２】
2005302431.tif 000024
【図２３】
2005302431.tif 000025
【図２４】
2005302431.tif 000026
【図２５】
2005302431.tif 000027
【図２６】
2005302431.tif 000028
【図２７】
2005302431.tif 000029
【図２８】
2005302431.tif 000030
【図２９】
2005302431.tif 000031